(57)【要約】  低温側（１６ａ、１８ａ）および高温側（１６ｂ、１８ｂ）を備えるタービンエンジンの燃焼室（１０）の環状壁（１６、１８）であって、環状壁の低温側（１６ａ、１８ａ）の循環空気が空気／燃料混合物の希釈を確実にするように高温側（１６ｂ、１８ｂ）に入ることができるようになっている円周方向列に従って配置される複数の一次および希釈孔（３０）と、環状壁の低温側（１６ａ、１８ａ）の循環空気が環状壁に沿って冷却空気のフィルムを形成するように高温側（１６ｂ、１８ｂ）に入ることができるようになっている複数の冷却オリフィス（３２）であって、互いから軸方向に間隔を置いて配置された複数の円周方向列に従って配置され、冷却オリフィスのそれぞれの幾何学的軸が、燃焼ガスの流れの軸方向Ｄに、環状壁の法線Ｎに対して傾斜角θ１で傾斜される冷却オリフィスと、を備える環状壁。  壁は、希釈孔の直ぐ下流に配置され、互いから軸方向に間隔を置いて配置された複数の円周方向列に従って配置される複数の追加の冷却オリフィス（３４）をさらに備え、追加の冷却オリフィスのそれぞれの幾何学的軸は、前記軸方向Ｄに垂直な平面に配置され、前記環状壁の法線Ｎに対して傾斜角θ２で傾斜される。
2014531015.tif 000002
【特許請求の範囲】
【請求項１】
低温側（１６ａ、１８ａ）および高温側（１６ｂ、１８ｂ）を備えるタービンエンジン燃焼室（１０）の環状壁（１６、１８）にして、
前記環状壁の低温側（１６ａ、１８ａ）の循環空気が空気／燃料混合物を生じるように高温側（１６ｂ、１８ｂ）に入ることができるようになっている円周方向列に従って配置された複数の一次孔（２８）と、
前記環状壁の低温側（１６ａ、１８ａ）の循環空気が空気／燃料混合物の希釈を確実にするように高温側（１６ｂ、１８ｂ）に入ることができるようになっている円周方向列に従って配置された複数の希釈孔（３０）と、
前記環状壁の低温側（１６ａ、１８ａ）の循環空気が前記環状壁に沿って冷却空気のフィルムを形成するように高温側（１６ｂ、１８ｂ）に入ることができるようになっている複数の冷却オリフィス（３２）であり、互いから軸方向に間隔を置いて配置された複数の円周方向列に従って配置され、前記冷却オリフィスのそれぞれの幾何学的軸が、燃焼ガスの流れの軸方向Ｄに前記環状壁の法線Ｎに対して傾斜角θ１で傾斜される、冷却オリフィスと
を備える環状壁であって、
一方では前記一次孔の直ぐ下流に、他方では前記希釈孔の直ぐ下流に配置され、互いから軸方向に間隔を置いて配置された複数の円周方向列に従って配置される、複数の追加の冷却オリフィス（３４）をさらに備え、
前記追加の冷却オリフィスのそれぞれの幾何学的軸が、前記軸方向Ｄに垂直な平面に配置され、前記環状壁の法線Ｎに対して傾斜角θ２で傾斜されることを特徴とする、環状壁。
【請求項２】
前記環状壁の法線Ｎに対する前記追加のオリフィスの前記傾斜θ２が、前記冷却オリフィスの傾斜角θ１と同一であることを特徴とする、請求項１に記載の壁。
【請求項３】
前記追加の冷却オリフィスの直径ｄ２が、前記冷却オリフィスの直径ｄ１と同一であり、前記追加の冷却オリフィスのピッチｐ２が、前記冷却オリフィスのピッチｐ１と同一であることを特徴とする、請求項１または請求項２に記載の壁。
【請求項４】
前記追加の冷却オリフィスが、一次孔および希釈孔の直ぐ下流により大きな高密度化を示すことを特徴とする、請求項１に記載の壁。
【請求項５】
前記複数の列の追加のオリフィスの下流に形成される遷移領域（２８Ｂ、３０Ｂ）のレベルにおいて、少なくとも２つの列のオリフィスをさらに備え、それの前記オリフィスのそれぞれの幾何学的軸が、前記軸方向Ｄに垂直な平面に対して、前記２つの列のそれぞれと異なるように決定される傾斜で傾斜されることを特徴とする、請求項１から４のいずれか一項に記載の壁。
【請求項６】
低温側（１６ａ、１８ａ）および高温側（１６ｂ、１８ｂ）を備えるタービンエンジン燃焼室（１０）の環状壁（１６、１８）にして、
前記環状壁の低温側（１６ａ、１８ａ）の循環空気がそれぞれ、空気／燃料混合物を生じ、または空気／燃料混合物の希釈を確実にするように高温側（１６ｂ、１８ｂ）に入ることができるようになっている円周方向列に従って配置される複数の一次孔（２８）または希釈孔（３０）と、
前記環状壁の低温側（１６ａ、１８ａ）の循環空気が前記環状壁に沿って冷却空気のフィルムを形成するように高温側（１６ｂ、１８ｂ）に入ることができるようになっている複数の冷却オリフィス（３２）であり、互いから軸方向に間隔を置いて配置された複数の円周方向列に従って配置され、前記冷却オリフィスのそれぞれの幾何学的軸が、燃焼ガスの流れの軸方向Ｄに、前記環状壁の法線Ｎに対して傾斜角θ１で傾斜される、冷却オリフィスと
を備える環状壁であって、
前記一次孔または希釈孔の直ぐ下流に配置され、互いから軸方向に間隔を置いて配置された複数の円周方向列に従って配置される、複数の追加の冷却オリフィス（３４）をさらに備え、
前記追加の冷却オリフィスのそれぞれの幾何学的軸が、前記軸方向Ｄに垂直な平面に配置され、前記環状壁の法線Ｎに対して傾斜角θ２で傾斜され、
前記複数の列の追加のオリフィスの下流に形成される遷移領域（２８Ｂ、３０Ｂ）のレベルにおいて、少なくとも２つの列のオリフィスをさらに備え、それの前記オリフィスのそれぞれの幾何学的軸が、前記軸方向Ｄに垂直な平面に対して、前記２つの列のそれぞれと異なるように決定される傾斜で傾斜されることを特徴とする、環状壁。
【請求項７】
２つの列のオリフィスを備え、前記傾斜が、それぞれ３０°および６０°であることを特徴とする、請求項５または請求項６に記載の壁。
【請求項８】
前記２つの列のオリフィスが、１つの列の冷却オリフィスの列の直ぐ上流に配置された２つの列の追加のオリフィスか、あるいは１つの列の追加のオリフィス、または１つの列の追加のオリフィスおよび隣接する列の冷却オリフィスの直ぐ下流に配置された２つの列の冷却オリフィスのどちらかであることを特徴とする、請求項７に記載の壁。
【請求項９】
いくつかの列のオリフィスを備え、前記傾斜が、０°と９０°との間に均等に配置されることを特徴とする、請求項５または請求項６に記載の壁。
【請求項１０】
前記追加のオリフィスの傾斜の方向が、前記燃焼室の下流の空気／燃料混合物の流れの方向によって制限されることを特徴とする、請求項１から９のいずれか一項に記載の壁。
【請求項１１】
請求項１から１０のいずれか一項に記載の少なくとも１つの環状壁（１６、１８）を備える、タービンエンジンの燃焼室（１０）。
【請求項１２】
請求項１から１０のいずれか一項に記載の少なくとも１つの環状壁（１６、１８）を有する燃焼室（１０）を備える、タービンエンジン。
【発明の詳細な説明】
【技術分野】
【０００１】
本発明は、タービンエンジン燃焼室の全般的分野に関する。これは、より詳細には、「多穿孔」と呼ばれるプロセスによって冷却される直流または逆流燃焼室の環状壁に焦点を合わせている。
【背景技術】
【０００２】
通常、環状タービンエンジン燃焼室は、燃焼室底部を形成する横断壁によって上流に連結される内側環状壁および外側環状壁によって形成される。
【０００３】
内側および外側環状壁には、燃焼室の周りの循環空気が燃焼室の内側に貫入できるようになる複数の様々な孔およびオリフィスがそれぞれ設けられる。
【０００４】
このように、「一次」および「希釈」と呼ばれる孔は、燃焼室の内側に空気を運ぶようにこれらの環状壁に形成される。一次孔を用いた空気は、燃焼室で燃焼される空気／燃料混合物を生じるのに寄与するが、希釈孔によって生じた空気は、この同じ空気／燃料混合物の希釈に有利に働くことが意図される。
【０００５】
内側および外側環状壁は、空気／燃料混合物の燃焼によって生じたガスの高温を受ける。
【０００６】
それらの冷却を確保するために、追加のいわゆる多穿孔オリフィスがまた、それらの表面全体にわたってこれらの環状壁を通過して穿孔される。概ね６０°で傾斜されるこれらの多穿孔オリフィスにより、燃焼室の外側の循環空気が壁に沿って冷却空気フィルムを形成するために燃焼室の内側に貫入できるようになっている。
【０００７】
しかし、実際には、一次または希釈孔のそれぞれの直ぐ下流に位置している内側および外側環状壁の領域は、使用されるレーザ穿孔技術から生じるオリフィスが特にないために、これが示すように亀裂形成の危険のある低レベルの冷却から利益を得ることが留意されている。
【０００８】
この問題を解決するために、文献米国特許第６１４５３１９号明細書は、一次および希釈孔のそれぞれの直ぐ下流に配置される壁領域に遷移孔を製作し、これらの遷移孔が多穿孔オリフィスの傾斜よりも小さい傾斜を有すること提案している。しかし、これは局部的な処理であることを考慮すれば、この解決策は、残念ながら、特に高価であり壁の製造を著しく長びかせることが分かる。
【先行技術文献】
【特許文献】
【０００９】
【特許文献１】米国特許第６１４５３１９号明細書
【発明の概要】
【発明が解決しようとする課題】
【００１０】
本発明の目的は、一次および希釈孔の直ぐ下流に配置される領域の適切な冷却を確保する環状燃焼室壁を提案することによってこの種の欠点を除くことである。
【課題を解決するための手段】
【００１１】
このために、低温側および高温側を備える環状タービンエンジン燃焼室壁が設けられ、前記環状壁は、
前記環状壁の低温側の循環空気が空気／燃料混合物を生じるように高温側に入ることができるようになっている円周方向列に従って配置された複数の一次孔と、
前記環状壁の低温側の循環空気が空気／燃料混合物の希釈を確実にするように高温側に入ることができるようになっている円周方向列に従って配置された複数の希釈孔と、
前記環状壁の低温側の循環空気が前記環状壁に沿って冷却空気のフィルムを形成するように高温側に入ることができるようになっている複数の冷却オリフィスであり、互いから軸方向に間隔を置いて配置された複数の円周方向列に従って配置され、前記冷却オリフィスのそれぞれの幾何学的軸が、燃焼ガスの流れの軸方向Ｄに前記環状壁の法線Ｎに対して傾斜角θ１で傾斜される、冷却オリフィスと
を備え、環状壁は、
一方では前記一次孔の直ぐ下流に、他方では前記希釈孔の直ぐ下流に配置され、互いから軸方向に間隔を置いて配置された複数の円周方向列に従って配置される、複数の追加の冷却オリフィスをさらに備え、
前記追加の冷却オリフィスのそれぞれの幾何学的軸が、前記軸方向Ｄに垂直な平面に配置され、前記環状壁の法線Ｎに対して傾斜角θ２で傾斜されることを特徴とする。
【００１２】
燃焼ガスの流れの方向に垂直な平面において一次および希釈孔の直ぐ下流にかつそれに接近して、傾斜して配置された追加の冷却オリフィスの存在により、標準的な軸方向多穿孔に対して効果的な冷却が確保され、そこでは、空気のフィルムはこれらの孔の存在によって抑制され、一次領域で流れを変更することはない。
【００１３】
前記環状壁は、前記複数の列の追加の冷却オリフィスの下流に形成される遷移領域のレベルにおいて少なくとも２つの列のオリフィスをさらに備え、その前記冷却オリフィスのそれぞれの幾何学的軸は、前記軸方向Ｄに垂直な平面に対して、前記２つの列のそれぞれと異なるように決定される傾斜で傾斜されることが好ましい。
【００１４】
もう１つの実施形態によれば、低温側および高温側を備える環状タービンエンジン燃焼室壁はまた、
前記環状壁の低温側の循環空気がそれぞれ、空気／燃料混合物を生じ、または空気／燃料混合物の希釈を確実にするように高温側に入ることができるようになっている円周方向列に従って配置される複数の一次孔または希釈孔と、
前記環状壁の低温側の循環空気が前記環状壁に沿って冷却空気のフィルムを形成するように高温側に入ることができるようになっている複数の冷却オリフィスであり、互いから軸方向に間隔を置いて配置された複数の円周方向列に従って配置され、前記冷却オリフィスのそれぞれの幾何学的軸が、燃焼ガスの流れの軸方向Ｄに、前記環状壁の法線Ｎに対して傾斜角θ１で傾斜される、冷却オリフィスと
を備えることができ、前記環状壁は、
前記一次孔または希釈孔の直ぐ下流に配置され、互いから軸方向に間隔を置いて配置された複数の円周方向列に従って配置される、複数の追加の冷却オリフィスをさらに備え、
前記追加の冷却オリフィスのそれぞれの幾何学的軸が、前記軸方向Ｄに垂直な平面に配置され、前記環状壁の法線Ｎに対して傾斜角θ２で傾斜され、
前記複数の列の追加のオリフィスの下流に形成される遷移領域のレベルにおいて、少なくとも２つの列のオリフィスをさらに備え、それの前記オリフィスのそれぞれの幾何学的軸が、前記軸方向Ｄに垂直な平面に対して、前記２つの列のそれぞれと異なるように決定される傾斜で傾斜されることを特徴とする。
【００１５】
流れを滑らかにすることによって、この旋回軸方向多穿孔の遷移領域は、亀裂の開始の起点において温度勾配を減少させる。燃焼室出力での平均温度プロファイルが、結果として得られる一層効果的な混合物により改善される。
【００１６】
本発明の有利な実施形態によれば、前記環状壁の法線Ｎに対する前記追加の冷却オリフィスの前記傾斜θ２は、前記冷却オリフィスの傾斜角θ１と同一である。
【００１７】
有利なことに、前記追加の冷却オリフィスの直径ｄ２は、前記冷却オリフィスの直径ｄ１と同一であり、前記追加の冷却オリフィスのピッチｐ２は、前記冷却オリフィスのピッチｐ１と同一であり、前記追加の冷却オリフィスは、一次孔および希釈孔の直ぐ下流により大きな高密度化を有することができる。
【００１８】
環状壁がこれらの２つの列のオリフィスを備える場合には、前記傾斜は、それぞれ３０°および６０°である。次いで、前記２つの列のオリフィスは、１つの列の冷却オリフィスの列の直ぐ上流に配置された２つの列の追加のオリフィスか、あるいは１つの列の追加のオリフィス、または１つの列の追加のオリフィスおよび隣接する列の冷却オリフィスの直ぐ下流に配置された２つの列の冷却オリフィスのどちらかである。
【００１９】
環状壁がいくつかの列のオリフィスを備える場合には、前記傾斜は、０°と９０°との間に規則正しく配置される。
【００２０】
前記追加の冷却オリフィスの傾斜の方向は、前記燃焼室の下流の空気／燃料混合物の流れの方向によって制限されることが有利である。
【００２１】
本発明のもう１つの目的は、先に規定したような環状壁を備える燃焼室および（燃焼室を有する）タービンエンジンである。
【００２２】
本発明の他の特徴および利点は、いかなる限定的な性質も全くない実施形態を示す添付の図と関連して次の説明から明らかになるであろう。
【図面の簡単な説明】
【００２３】
【図１】その環境におけるタービンエンジン燃焼室の長手方向断面図である。
【図２】本発明の実施形態による図１の燃焼室の環状壁のうちの１つの部分的な展開図である。
【図３】図２の環状壁の一部の部分透視図である。
【発明を実施するための形態】
【００２４】
図１は、タービンエンジンの燃焼室１０をその環境で示している。この種のタービンエンジンは、特に圧縮セクション（図示せず）を備え、そこでは、空気が、チャンバハウジング１２の中に、次に後者の内側に取り付けられた燃焼室１０の中に注入される前に圧縮される。圧縮空気が、燃焼室に導入され、燃焼される前に燃料と混合される。この燃焼から生じるガスが、燃焼室の出口に配置される高圧タービン１４の方へ方向付けられる。
【００２５】
燃焼室は、環状タイプから成っている。これは、燃焼室底部を形成する横断壁２０によって上流で連結される内側環状壁１６および外側環状壁１８によって形成される。これは、図で示すように直流かまたは逆流である場合がある。この場合は、多重穴あけによってまた冷却され得るリターンエルボが、燃焼室とタービンディストリビュータとの間に配置される。
【００２６】
環状内側壁１６および環状外側壁１８は、タービンエンジンの長手方向軸２２に対して僅かに傾斜される長手方向軸に従って延在する。燃焼室底部２０には、燃料噴射器２４が取り付けられる複数の開口２０Ａが設けられる。
【００２７】
燃焼室１０については、内側エンベロープ１２ａおよび外側エンベロープ１２ｂによって形成される燃焼室ハウジング１２が環状空間２６を形成し、この環状空間２６は、燃焼、希釈、および燃焼室を冷却することになっている圧縮空気を流入させる。
【００２８】
環状内側壁１６および環状外側壁１８は、圧縮空気が循環する環状空間２６の側面に配置される低温側１６ａ、１８ａ、および燃焼室の内部の方に向けられる高温側１６ｂ、１８ｂをそれぞれ示す（図３）。
【００２９】
燃焼室１０は、「一次」（または燃焼領域）と呼ばれる領域と、その下流に配置される「二次」（または希釈領域）と呼ばれる領域とに分割される（下流とは、燃焼室の内側で空気／燃料混合物の燃焼から生じ、矢印Ｄによって具体化されるガスの通常の軸方向流れの方向を意味する）。
【００３０】
燃焼室の一次領域に供給される空気は、これらの環状壁の周囲全体にわたって燃焼室の環状内側壁１６および環状外側壁１８に製作される一次孔２８の円周方向列を介して導入される。これらの一次孔は、同じ線２８Ａに位置合わせされた下流端縁を備える。燃焼室の二次領域に供給する空気に関しては、これは、これらの環状壁の周囲全体にわたって環状内側壁１６および環状外側壁１８に同様に形成される複数の希釈孔３０を使用する。これらの希釈孔３０は、一次孔２８の列に対して軸方向下流に偏位される円周方向列に従って位置合わせされ、これらは、交互する大きな穴および小さな孔を備える特に異なる直径を有することができる。しかし、図２に示される構成においては、異なる直径のこれらの希釈孔は、同じ線３０Ａに位置合わせされた下流端縁を有する。
【００３１】
燃焼ガスから高温を受ける燃焼室の環状内側壁１６および環状外側壁１８を冷却するために、複数の冷却オリフィス３２が設けられる（図２および図３に示される）。
【００３２】
これらのオリフィス３２は、多穿孔によって壁１６、１８の冷却を確保するが、互いから軸方向に間隔を置いて配置された複数の円周方向列に従って配置される。多穿孔オリフィスのこれらの列は、正確に画定される本発明の目的物を形成しかつ上流遷移軸および下流遷移軸を形成する線２８Ａと線３０Ａとの間の特定の領域を除いて燃焼室の環状壁の表面全体を覆い、この軸は、上流にあるこの軸に対して軸方向下流に、（下流軸２８Ｂについては）実質的に希釈孔の前に、または（下流軸３０Ｂについては）実質的に燃焼室の出口平面の前に偏位される。
【００３３】
冷却オリフィス３２の数および直径ｄ１は、列のそれぞれについて同一である。同じ列の２つのオリフィスの間のピッチｐ１は、一定であり、同一であってもよく、または列のすべてについて同一でなくてもよい。また、冷却オリフィスの隣接する列は、オリフィス３２が図２に示されるように千鳥状にして配置され得るように矢形のものである。
【００３４】
図３に示されるように、冷却オリフィス３２は、通常、これらが製作される環状壁１６、１８の法線Ｎに対して傾斜角θ１を有する。この傾斜θ１により、これらのオリフィスを用いる空気は環状壁の高温側１６ｂ、１８ｂに沿って空気のフィルムを形成できるようになっている。非傾斜オリフィスに関して、これは、冷却される環状壁の表面を増大する。また、冷却オリフィス３２の傾斜θ１は、結果として得られる空気のフィルムが燃焼室の内側の燃焼ガスの流れの方向に流れるように方向付けられる（矢印Ｄによって示される）。
【００３５】
例示として、金属またはセラミック材料で製作され、０．６ｍｍと３．５ｍｍとの間の厚さを有する環状壁１６、１８の場合、冷却オリフィス３２の直径ｄ１は、０．３ｍｍと１ｍｍとの間、ピッチｄ１は、１ｍｍと１０ｍｍとの間、それらの傾斜θ１は、＋３０°と＋７０°との間、通常＋６０°であることができる。比較として、同じ特徴を有する環状壁の場合、一次孔２８および希釈孔３０は、４ｍｍから２０ｍｍ程度の直径を有する。
【００３６】
本発明によれば、燃焼室の各環状壁１６、１８は、一次孔２８および希釈孔３０の直ぐ下流に配置され、かつ上流遷移軸２８Ａ、３０Ａから下流遷移軸２８Ｂ、３０Ｂまでいくつかの円周方向列、通常少なくとも５つの列に従って配置される複数の追加の冷却オリフィス３４を備える。しかし、軸方向Ｄに流れる空気のフィルムを搬送する以前の冷却オリフィスと比べて、これらの追加の冷却オリフィスによって搬送される空気のフィルムは、燃焼ガスの流れのこの軸方向Ｄに垂直な平面でのそれらの配置により垂直方向に流れる。タービンエンジンの軸に垂直に行われるこの多穿孔（説明全体にわたって、これは、冷却オリフィスの軸方向多穿孔とは対照的に旋回多穿孔と呼ばれることになる）は、一次または希釈孔の追加のオリフィスを一緒にし、空気／燃料混合物の効力を改善する。
【００３７】
同じ列の追加のオリフィス３４は、好ましくは冷却オリフィス３２の直径ｄ１と同一の、同じ直径ｄ２を有し、冷却オリフィス３２の間のピッチｐ１と同一であってもよく、または同一でなくてもよい一定ピッチｐ２で間隔を置いて配置され、好ましくは冷却オリフィス３２の傾斜θ１と同一であるが垂直面に配置される傾斜θ２を有する。しかし、これらは依然として先に規定した値の範囲内にあるが、追加のオリフィス３４のこれらの特徴は、冷却オリフィス３２の特徴と実質的に異なる場合があり、すなわち、環状壁１６、１８の法線Ｎに対する同じ列の追加のオリフィスの傾斜θ２は、冷却オリフィス３２の傾斜θ１と異なる場合があり、同じ列の追加のオリフィスの直径ｄ２は、冷却オリフィス３２の直径ｄ１と異なる場合がある。
【００３８】
しかし、好ましい冷却の必要性により、一次孔２８の列の後ろの追加のオリフィス３４はまた、有利なことに、傾斜、直径、またはピッチに関して希釈孔３０の列の後ろに配置されるそれらと異なる特徴を有することができ、より詳細には、同じ領域の範囲内で、直径ｄ２およびピッチｐ２の差異はまた、図２に示されるように希釈オリフィスが交互する大きなオリフィスおよび小さなオリフィスによって形成される場合には、最も熱的に制限された部分、すなわち、一次孔および大きな希釈オリフィスの直ぐ下流のそれらでこの冷却を高密度化するように製作され得る。
【００３９】
一次孔の列と希釈孔の列との間で、旋回多穿孔の導入により、温度勾配のレベルを制限することによって、一次孔２８の下流の亀裂の形成が防止される。下流遷移軸２８Ｂからの希釈孔３０の上流多穿孔は軸方向タイプから成るので、たとえば２つの列にわたって製作される遷移領域を形成することが必要であり、そこでは、追加の冷却孔３４は、軸方向Ｄに対して一方が３０°で、他方が６０°で傾斜される平面にそれぞれ配置され、これらの傾斜面のこれらの追加孔の他のパラメータ、詳細には直径ｄ２、ピッチｐ２、および傾斜θ２は元のままでいる。
【００４０】
同様に、燃焼室出力において、より正確には下流遷移軸（３０Ｂ）から（図２）、軸方向多穿孔の導入は、燃焼室の高圧タービン（ＴｕＨＰ）出力を失わないように旋回の局部的なレベルを満たす。また、好ましくは、亀裂の開始の起点において温度勾配を減少させるように流れを滑らかにするために、旋回軸方向多穿孔の遷移領域を設けることが望ましい。燃焼室出力での平均温度プロファイルは、結果として得られる一層効果的な混合物により改善される。この遷移領域は、たとえば、軸方向Ｄに対して一方が３０°で、他方が６０°で傾斜される平面にそれぞれ配置される、追加の冷却孔の２つの列にわたって製作されることができ、これらの傾斜面の追加孔の他のパラメータ、詳細には直径ｄ２、ピッチｐ２、および傾斜θ２は元のままでいる。逆流燃焼室の場合には、軸３０Ｂからのこの領域は、存在できないかまたはリターンエルボに一体化され得ない。
【００４１】
遷移領域が旋回多穿孔のレベルで説明されている場合には、軸方向多穿孔のレベルにこれを配置する問題はなく、または、３０°で傾斜された軸方向多穿孔の列と６０°で傾斜された旋回多穿孔の列とにまたがる問題はないことが明白である。同様に、この遷移領域は、２つの列よりも多く備えることができ、この場合、オリフィスの傾斜は、０°（軸方向多穿孔）と９０°（旋回多穿孔）との間に均等に配置される。たとえば、３つの列の場合、オリフィスの傾斜は、それぞれ２２．５°、４５°、および６７．５°であろう。
【００４２】
本発明の場合、一次領域の流れは、変更されず、旋回は希釈噴射の方向付けに影響を与えず、熱バリアを省略すると、質量、およびそれに応じてコストの利益がもたらされる。また、ＨＰＤの流れ方向を考慮に入れ、空気力学的層間剥離を回避し、高圧タービンの出力を保持するために、旋回多穿孔の穿孔の方向は、燃焼室の下流の高圧ディストリビュータ（ＨＰＤ）のエーロフォイルの方向付けによって固定されることは明白である。
【図１】
2014531015.tif 000003
【図２】
2014531015.tif 000004
【図３】
2014531015.tif 000005
【国際調査報告】
2014531015.tif 000006
2014531015.tif 000007
2014531015.tif 000008
2014531015.tif 000009
2014531015.tif 000010
2014531015.tif 000011
2014531015.tif 000012
2014531015.tif 000013